(57)【要約】【課題】外壁の垂直部材及び横架材の外側と、屋根の傾斜面に等間隔に配置した桟木の外側に、断熱ボードの周辺に有する突縁に重ねて面材と、屋根下地材を釘着したことで、外側への出幅を少なくした木造建築の断熱工法を提供する。【解決手段】木造建築の断熱工法で、建物を構築する垂直部材２６及び横架材２７の外側に長方形の断熱ドード２０の周辺に有する突縁２１を重ねて取り付け、その外側に面材２３を重ねて釘着し、外壁の外側に張った断熱ボード２０と垂直部材２６を挟んで内側に内装仕上材３０を張った間の空間に通気層２４を設けた。屋根の傾斜面に等間隔に配置した桟木３４の外側に、長方形の断熱ボード２５の長手方向の両側端に有する突縁２１を重ねて取り付け、その外側に屋根下地材３１を釘着したものである。【選択図】  図１
2004332225.tif 000002
【特許請求の範囲】
【請求項１】
木造建築の外壁に断熱ボードを装着する工法において、複数の垂直部材及び横架材の外側に、長方形の断熱ボードの周辺に有する突縁を重ねて装着したことを特徴とする木造建築の断熱工法。
【請求項２】
前記長方形の断熱ボードの端側の接合部分のそれぞれの厚みの１／２を交互に切欠して接合したことを特徴とする請求項１に記載の木造建築の断熱工法。
【請求項３】
前記長方形の断熱ボードの両端側の接合部分の一方に凹溝を備え、他方に凸起を設け、該凹溝に突起が嵌合したことを特徴とする請求項１又は２に記載の木造建築の断熱工法。
【請求項４】
複数の前記垂直部材及び横架材の外側に、前記長方形の断熱ボードの周辺に有する突縁を重ねた複数箇所に防錆釘を打ち込んで装着したことを特徴とす請求項１に記載の木造建築の断熱工法。
【請求項５】
前記長方形の断熱ボードの外側面に、前記突縁を挟んで複数の前記垂直部材及び横架材を下地として面材を釘着したことを特徴とする請求項１又は４に記載の木造建築の断熱工法。
【請求項６】
複数の前記垂直部材を挟んで装着した前記長方形の断熱ボードと、内装仕上材との間の空間に通気層を設けたことを特徴とする請求項１に記載の木造建築の断熱工法。
【請求項７】
木造建築の屋根に断熱ボードを装着する工法において、傾斜面に等間隔に配置した桟木の上面に、長方形の断熱ボードの長手方向の両側端に有する突縁を重ねて装着したことを特徴とする木造建築の断熱工法。
【請求項８】
前記長方形の断熱ボードの端側の接合部分のそれぞれの厚みの１／２を交互に切欠して接合したことを特徴とする請求項７に記載の木造建築の断熱工法。
【請求項９】
傾斜面に等間隔に配置した前記桟木の上面に、前記長方形の断熱ボードの長手方向の両側端に有する突縁を重ねた複数箇所に防錆釘を打ち込んで装着したことを特徴とする請求項７に記載の木造建築の断熱工法。
【請求項１０】
前記桟木の上面に装着した断熱ボードの上面に、突縁を挟んで複数の桟木を下地として屋根下地材を釘着したことを特徴とする請求項７又は９に記載の木造建築の断熱工法。
【発明の詳細な説明】
【０００１】
【発明の属する技術分野】
本発明は、木造建築の断熱工法で、垂直部材及び横架材と屋根の桟木の外側に装着する断熱ボードに関し、詳しくは、垂直部材及び横架材と屋根の桟木の外側に断熱ボードの突縁を重ねて装着する断熱ボードの収まりが極めてよく、しかも快適な木造建築の断熱工法に関する。
【０００２】
【従来の技術】
従来の木造建築の断熱工法では、図７に示すように、外張断熱工法があるが、これは外壁の垂直部材９の外側に断熱ボード１を張り、該断熱ボードの外側に等間隔に縦胴縁１０を打ち付け、さらにその外側に面材３を張っていた。
【０００３】
同じ前記外張断熱工法で、屋根の傾斜面に等間隔に設けた桟木４の外側に断熱ボード１を張り、その外側に等間隔に縦胴縁１０を打ち付け、さらにその外側に屋根下地材５を張っていた。
【０００４】
外壁の外側に張った断熱ボード１と、その外側に縦胴縁１０と面材３と外部仕上材１１（図省略）等を重ねて設けた合計の厚みが外の方に張り出し、建物の入隅部分の収まりがよくないことと、幾重にも重ねて張る材料費と取り付け手間がかかっていた。
【０００５】
屋根の傾斜面に等間隔に設けた桟木４の外側に断熱ボード１を張り、その外側に縦胴縁１０を打ち付け、さらにその外側に屋根下地材５を張っているが、外壁同様幾重にも重ねて張る材料費と取り付け手間がかかっていた。
【０００６】
外壁に張った断熱ボード１の外側に縦胴縁１０を挟んでその外側に面材３を張った間の空間の空気を、小屋裏に設けた排出装置（図省略）で、建物の下部から前記空間に空気が吸い込まれて上昇し、前記空間に入った湿気を屋外に排出することで、結露の発生を防止するのは有効であるが、室内の空気の循環がおこなわれない。
【０００７】
屋根の傾斜面に等間隔に設けた桟木４の外側に張った断熱ボード１と、縦胴縁１０を挟んで張った屋根下地材５との間の空間を、空気が上昇して排出装置で屋外に排出されることで、夏季の屋根裏の熱気を排出することは有効であるが、室内の空気の循環がおこなわれない。
【０００８】
【発明が解決しようとする課題】
本発明は、上記実情に鑑み、外壁の外側に断熱ボード２０の外周に有する突縁の厚みの重なりと、その外側面に重ねて面材２３を直に張って出幅を少なくした。屋根の断熱ボード２５の収まりも外壁と同様とし、使用する材料費と取り付け手間の省力化を計っている。
【０００９】
そして、外壁の断熱ボード２０と内装仕上材３０との間の空間に通気層２４を設け、フローリング３２の床に設けた開口部４２から二重床の通気層２４へ空気を吸入して、外壁の通気層２４を流動して小屋裏に設けた排出装置で屋外に排出する。
【００１０】
また、外壁に設けた吸気口４１から室内に流入した空気をフローリング３２の床に設けた開口部４２から二重床の通気層２４から外壁の通気層２４へと流動し、室内で発生した水蒸気が内装仕上材３０を透湿して通気層２４内に入った湿気を排出し、通気層内の結露の発生を防止し、併せて室内を空気が循環する木造建築の断熱工法を提供することを目的としている。
【００１１】
【課題を解決するための手段】
上記目的を達成するために、この発明は、木造建築の外壁に断熱ボードを装着する工法において、複数の垂直部材及び横架材の外側に、長方形の断熱ボードの周辺に有する突縁を重ねて装着したことで、外側への張り出し幅が少なくなり、材料費と取り付け手間の省力化ができた。
【００１２】
前記長方形の断熱ボードの端側の接合部分のそれぞれの厚みの１／２を交互に切欠して接合したことで接合部分の隙間をカバーできた。
【００１３】
前記長方形の断熱ボードの両端側の接合部分の一方に凹溝を備え、他方に凸起を設け、該凹溝に突起が嵌合することで接合部分の隙間をカバーできる。
【００１４】
複数の前記垂直部材及び横架材の外側に、前記長方形の断熱ボードの周辺に有する突縁を重ねた複数箇所に防錆釘を打ち込んで装着したことで断熱ボードが長期間保持できる。
【００１５】
前記長方形の断熱ボードの外側に、突縁を挟んで複数の前記垂直部材及び横架材を下地として面材を釘着したことで断熱ボードを保護し保持できる。
【００１６】
複数の前記垂直部材を挟んで装着した前記長方形の断熱ボードと、内装仕上材との間の空間に通気層を設けたことで、通気層内の空気の循環が良好となり、併せて空気の上昇に伴い結露の防止ができる。
【００１７】
木造建築の屋根に断熱ボードを装着する工法において、傾斜面に等間隔に配置した桟木の上面に、長方形の断熱ボードの長手方向の両側端に有する突縁を重ねて装着したことで外側への出幅が少なくなり、材料費と取り付け手間の省力化ができるようになった。
【００１８】
前記長方形の断熱ボードの端側の接合部分のそれぞれの厚みの１／２を交互に切欠して接合したことで、接合部分の隙間をカバーできるようになった。
【００１９】
傾斜面に等間隔に配置した前記桟木の上面に、前記長方形の断熱ボードの長手方向の両側端に有する突縁を重ねた複数箇所に防錆釘を打ち込んで装着したことで断熱ボードを長期間保持できる。
【００２０】
前記桟木の上面に装着した断熱ボードの上面に、突縁を挟んで複数の桟木を下地として屋根下地材を釘着したことで外側への出幅を少なくし、材料費と取り付け手間の省力化ができるようになった。
【００２１】
【発明の実施の形態】
本発明の実施の形態を図１に基づき説明する、図１は縦断面図である、木造建築の外壁を構築している垂直部材２６及び横架材２７の外側に長方形の断熱ボード２０（壁用）の周辺に有する突縁２１を重ねて防錆釘２１を複数箇所に打ち込んで取り付け、その外側に面材２３を釘着する。
【００２２】
木造建築の屋根を構築する傾斜面に等間隔に配置した桟木３４の外側に長方形の断熱ボード２５（屋根用）の長手方向の両側端に有する突縁２１を重ねて防錆釘２１ａを複数箇所に打ち込んで取り付け、その外側に屋根下地材３１を釘着する。
【００２３】
図４〜図６は長方形の断熱ボード２０，２５を示す、図４は壁用の断熱ボード２０を示す、断熱ボード２０の周辺には外壁を構築している垂直部材２６及び横架材２７の外側に重なる突縁２１を有し、突縁２１から複数箇所を防錆釘２１ａを打ち込んで取り付け、その外側に面材２３を釘着したものである。断熱ボード２０の接合部分のそれぞれの厚みの１／２を交互に切欠２２を設け、切欠２２のそれぞれを重ねて接合することで、接合部分の隙間をカバーするものである。
【００２４】
図５は屋根用の断熱ボード２５を示す、断熱ボード２５の長手方向の両側端に有する突縁２１を傾斜面に等間隔に配置した桟木４の外側に重ねて複数箇所を防錆釘２１ａを打ち込んで装着し、その外側に屋根下地材３１を釘着するものである。
【００２５】
図６は壁用断熱ボード２０と、屋根用断熱ボード２５の接合部分を示す、前記断熱ボード２０，２５は別の接合加工をしたもので、外壁又は屋根に装着する断熱ボードの接合部分の端側の一方を凹溝２２ａとし、他方を凸起２２ｂとし、凹溝２２ａに突起２２ｂを嵌合して接合部分の隙間をカバーする変形例である。
【００２６】
図１に示すように、木造建築を構築する外壁の垂直部材２６の外側に、断熱ボード２０の周辺に有する突縁２１を重ねて装着し、垂直部材２６を挟んで内側に内装仕上材３０を張り、断熱ボード２０と内装仕上材３０との間の空間に通気層２４を設けたものである。
【００２７】
図１に示すように、外壁に吸気口４１を設け、二重床のフローリング３２の床に開口部４２を設け、吸気口４１から室内空間４５に空気が流入し、室内空間４５の空気を開口部４２から二重床の通気層２４に導入し、二重床の通気層２４から外壁の通気層２４を流動して小屋裏４０に達し、小屋裏に設けた排出装置（図省略）で小屋裏空間の空気を屋外に排出し、室内の空気の循環を良好にする。
【００２８】
【発明の効果】
本発明に係る木造建築の断熱工法は、木造建築を構築する外壁の垂直部材及び横架材の外側に長方形の断熱ボードの周辺に有する突縁を重ねて張り、その外側に面材を釘着することで外側への出幅を少なくし、材料費と取り付け手間の省力化ができる。
【００２９】
木造建築を構築する屋根の傾斜面に等間隔に配置した桟木の外側に長方形の断熱ボードの長手方向の両側端に有する突縁を重ねて張り、その外側に屋根下地材を釘着することで外側への出幅を少なくし、材料費と取り付け手間の省力化ができる。
【００３０】
外壁の垂直部材及び横架材と屋根の桟木の外側に断熱ボードを張る際、断熱ボードの周辺又は両側端に有する突縁で下地との重ね代を設け、また、断熱ボードの接合部分のそれぞれに交互に切欠又は別加工の凹溝と突起を設けて互いに接合することで、隙間を塞ぎ高気密にできる。
【００３１】
外壁に吸気口を備え、二重床に開口部を設け、吸気口から室内空間に流入した空気を二重床の開口部から二重床の通気層に導入し、さらに、外壁の通気層を流動して小屋裏空間に達し、小屋裏に設けた排出装置で屋外に排出するという連通した空気の循環で、長期間部屋の窓を締め切った状態でも、絶えず新鮮な空気が循環し、外壁の内側に張った内装仕上材から透湿して通気層内に入った湿気が、外壁の通気層を空気とともに上昇して排出され、外壁内の結露を防止し、併せて快適な住空間を築くことができる。
【図面の簡単な説明】
【図１】本発明の実施の形態を示す縦断面図である。
【図２】図１のＡ−Ａの横断面図である。
【図３】図１のＢ―Ｂの横断面図である。
【図４】壁の断熱ボードの実施の形態を示す斜視図である。
【図５】屋根の断熱ボードの実施の形態を示す斜視図である。
【図６】断熱ボードの変形例の実施の形態を示す斜視図である。
【図７】別の従来例を示す縦断面図である。
【符号の簡単な説明】
２０  断熱ボード（壁用）、２１  突縁、２１ａ  防錆釘、２２  切欠、
２２ａ    凹溝、２２ｂ    突起、  ２３  面材、２４  通気層、
２５  断熱ボード（屋根用）、２６  垂直部材、２７  横架材、
３０  内装仕上材、３１  屋根下地材、
【図１】
2004332225.tif 000003
【図２】
2004332225.tif 000004
【図３】
2004332225.tif 000005
【図４】
2004332225.tif 000006
【図５】
2004332225.tif 000007
【図６】
2004332225.tif 000008
【図７】
2004332225.tif 000009